(57)【要約】【課題】首の周りを冷却する冷感マフラーを、ビジネス用のシャツにも違和感なくフィットさせて装着できるようにする。【解決手段】襟ｃを備えたシャツＳの襟腰ｂの内側に沿わせる帯状部材１に、吸水性ポリマーから成る冷却材２を内包し、シャツＳを着用した状態で帯状部材１を首に当接させ、冷却材２に含ませた水の蒸発に伴い、首の周りを冷却する冷感マフラーにおいて、前記帯状部材１に、シャツＳの襟元の前側に位置するその両端部を繋ぐように、弾性を有する紐状部材３を取り付ける。そして、この紐状部材３を引っ張りつつ、シャツＳの襟腰ｂと襟ｃとの間に挟み込み、紐状部材３の伸びを復元させて、シャツＳに装着するものとする。前記紐状部材３としては、丸形断面のゴム紐を用いる。【選択図】図２
2014100372.tif 000002
【特許請求の範囲】
【請求項１】
襟(c)を備えたシャツ(S)の襟腰(b)の内側に沿わせる帯状部材(1)に、吸水性ポリマーから成る冷却材(2)を内包し、シャツ(S)を着用した状態で帯状部材(1)を首に当接させ、冷却材(2)に含ませた水の蒸発に伴い、首の周りを冷却する冷感マフラーにおいて、前記帯状部材(1)に、シャツ(S)の襟元の前側に位置するその両端部を繋ぐように、弾性を有する紐状部材(3)を取り付けておき、この紐状部材(3)を引っ張りつつ、シャツ(S)の襟腰(b)と襟(c)との間に挟み込み、紐状部材(3)の伸びを復元させて、シャツ(S)に装着するようにしたことを特徴とする冷感マフラー。
【請求項２】
前記紐状部材(3)として、丸形断面のゴム紐を用いたことを特徴とする請求項１に記載の冷感マフラー。
【発明の詳細な説明】
【技術分野】
【０００１】
この発明は、襟付きのシャツを着用した状態で、首の周りを冷却する冷感マフラーに関するものである。
【背景技術】
【０００２】
従来、下記特許文献１には、図３及び図４に示すように、シャツＳの襟腰ｂの内側に沿わせる布製の帯状部材５１に、吸水性ポリマーから成る冷却材を内包し、シャツＳを着用した状態で帯状部材５１を首に当接させ、冷却材に含ませた水の蒸発に伴い、首の周りを冷却する冷感マフラーが記載されている。
【０００３】
帯状部材５１は、冷却材を内包した冷却部５２と、その両端から延長された折返部５３とから成り、折返部５３には、金属製の折返形状保持板５４が内包されている。
【０００４】
この冷感マフラーをシャツＳに装着する際、折返部５３をシャツの襟腰ｂの外側へ折り曲げ、襟腰ｂと襟ｃとの間に挟み込むと、塑性変形した折返形状保持板５４により、折返部５３の折曲状態が保持され、冷感マフラーがシャツＳに係止される。
【０００５】
このような冷感マフラーは、例えば、下記特許文献２，３に記載されたスカーフ状に首に巻くものに比べて、ファッションアイテムを兼ねて使用する女性だけでなく、男性でも日常的に抵抗なく使用することができ、首に圧迫感を感じることもない。
【先行技術文献】
【特許文献】
【０００６】
【特許文献１】特開２０１１−８７６６２号公報
【特許文献２】登録実用新案第３０２８７４６号公報
【特許文献３】登録実用新案第３１５００９７号公報
【発明の概要】
【発明が解決しようとする課題】
【０００７】
しかしながら、上記特許文献１に記載された冷感マフラーでは、首の後側で帯状部材５１の冷却部５２とシャツＳの襟腰ｂの位置がずれやすく、このずれが大きくなると、使用感が損なわれるほか、後方から見たとき、シャツＳの襟ｃの上方に帯状部材５１が露出することがある。
【０００８】
このため、ビジネス用のシャツへ装着しようとする場合、カジュアルな印象を与えることが嫌われる職種等においては、装着が躊躇されることもあり、暑い季節に屋外を歩いたり、冷房温度が高めに設定された屋内で働くビジネスマンに推奨し難い場合もある。
【０００９】
そこで、この発明は、首の周りを冷却する冷感マフラーを、ビジネス用のシャツにも違和感なくフィットさせて装着できるようにすることを課題とする。
【課題を解決するための手段】
【００１０】
上記のような課題を解決するため、この発明は、襟を備えたシャツの襟腰の内側に沿わせる帯状部材に、吸水性ポリマーから成る冷却材を内包し、シャツを着用した状態で帯状部材を首に当接させ、冷却材に含ませた水の蒸発に伴い、首の周りを冷却する冷感マフラーにおいて、前記帯状部材に、シャツの襟元の前側に位置するその両端部を繋ぐように、弾性を有する紐状部材を取り付けたのである。
【００１１】
そして、この紐状部材を引っ張りつつ、シャツの襟腰と襟との間に挟み込み、紐状部材の伸びを復元させて、シャツに装着するようにしたのである。
【００１２】
また、前記紐状部材として、丸形断面のゴム紐を用いたのである。
【発明の効果】
【００１３】
この冷感マフラーでは、シャツの襟元の前側から後側へかけて、襟腰と襟との間に挟み込まれた紐状部材により、冷却材を内包する帯状部材をシャツに装着して保持するので、帯状部材とシャツの襟腰の位置が殆どずれることがなく、安定した使用感が得られ、後方から見たとき、シャツの襟の上方に帯状部材が露出することもない。
【００１４】
また、紐状部材を丸形断面のゴム紐としたことから、シャツへの装着に際し、襟を立てる必要がなく、紐状部材をシャツの表面に沿って滑らせるように、襟腰と襟の間に容易かつ確実に収めることができ、襟腰と襟の間から紐状部材が下方へはみ出して、見苦しい外観を呈することもない。
【００１５】
このため、ビジネス用のシャツにも簡単に違和感なくフィットさせて装着でき、暑さが厳しい夏期においても、首周りを涼しくして、業務を行うことができる。
【図面の簡単な説明】
【００１６】
【図１】この発明の実施形態に係る冷感マフラーを示す斜視図
【図２】同上の使用状態を示す斜視図
【図３】従来の冷感マフラーの使用状態を示す斜視図
【図４】同上の折返部を示す概略図
【発明を実施するための形態】
【００１７】
以下、この発明の実施形態を添付図面に基づいて説明する。
【００１８】
図１に示すように、この冷感マフラーは、布製の帯状部材１に、吸水性ポリマーから成る冷却材２を内包して縫製し、帯状部材１の両端部に弾性を有する紐状部材３を取り付けたものとされている。
【００１９】
帯状部材１は、例えば、ポリエステルと綿とから成るものとし、内外面の区別なくシャツに装着できるようにする場合、両面が透水性を有するものとする。この場合、シャツの襟腰に接する面がシャツをあまり濡らさないような透水率に設定する。
【００２０】
一方、内外面を指定する場合には、内面側にのみ透水性を有する材料を使用し、シャツの襟腰に接する外面側には、シャツを濡らさないように、水を通しにくい合成繊維の材料を使用するのが好ましい。
【００２１】
冷却材２は、吸収した水をある程度保持し、徐々に蒸発させる性質を備えたシート状の吸水性ポリマーとされている。
【００２２】
紐状部材３としては、シャツにスムーズに装着できるように、丸形断面の細いゴム紐が使用されている。
【００２３】
また、帯状部材１の冷却材２が内包されていない両端部には、下縁が傾斜してテーパー状に先細りとなった折返部４が設けられ、折返部４の先端部分に、紐状部材３が取り付けられている。
【００２４】
このような冷感マフラーを使用する際には、帯状部材１を水に浸し、冷却材２に予め吸水させておく。
【００２５】
そして、図２に示すように、襟ｃを襟腰ｂに備えたシャツＳを着用した状態で、帯状部材１を襟腰ｂの内側に沿わせ、折返部４を襟腰ｂの外側へ折り曲げて、紐状部材３を引っ張りつつ、襟ｃの下縁を通過させ、襟腰ｂと襟ｃとの間に挟み込み、紐状部材３の伸びを復元させる。
【００２６】
なお、シャツＳを着用する前に、予め冷感マフラーをシャツＳに上記と同様の手順により装着しておき、その後、シャツＳを着用するようにしてもよい。
【００２７】
このように冷感マフラーをシャツＳに装着すると、帯状部材１の内面側が首に接して、冷却材２に含ませた水が蒸発し、気化熱が放散されて、首の周りが冷却される。
【００２８】
上記冷感マフラーでは、シャツＳの襟元の前側から後側へかけて、襟腰ｂと襟ｃとの間に挟み込まれた紐状部材３により、冷却材２を内包する帯状部材１をシャツＳに装着した状態に保持するので、帯状部材１と襟腰ｂの位置が殆どずれることがなく、安定した使用感が得られ、後方から見たとき、襟ｃの上方に帯状部材１が露出することもない。
【００２９】
また、紐状部材３を丸形断面のゴム紐としたことから、シャツＳへの装着に際し、襟ｃを立てる必要がなく、紐状部材３をシャツＳの表面に沿って滑らせるように、襟腰ｂと襟ｃの間に容易かつ確実に収めることができ、襟腰ｂと襟ｃの間から紐状部材３が下方へはみ出して、見苦しい外観を呈することもない。
【００３０】
このため、ビジネス用のシャツにも簡単に違和感なくフィットさせて装着でき、暑さが厳しい夏期においても、首周りを涼しくして、業務を行うことができる。
【符号の説明】
【００３１】
１  帯状部材
２  冷却材
３  紐状部材
４  折返部
Ｓ  シャツ
ｂ  襟腰
ｃ  襟
【図１】
2014100372.tif 000003
【図２】
2014100372.tif 000004
【図３】
2014100372.tif 000005
【図４】
2014100372.tif 000006